(57)【要約】【課題】くくり罠のバネの作動ストロークを短縮させ、くくり罠の性能向上を提供する。【解決手段】一端に所定の大きさに固定して成る環１１を有するワイヤー１と、ワイヤー１の他端側を挿通するパイプ２と、環１１側に一端が連結され、他端側の連結部に鉤を設けた引きバネ３と、連結部の鉤に一方が連結され、他方がパイプ２に挿通された引き紐４を備える。【選択図】図１
0003193389.tif 000002
【実用新案登録請求の範囲】
【請求項１】
一端に所定の大きさに固定に成る環を有するワイヤーと、
前記ワイヤーの他端側を挿通するパイプと、
前記環側に一端が連結され、他端側の連結部に鉤を設けた引きバネと、
前記連結部の鉤に一方が連結され、他方が前記パイプに挿通された引き紐を備えた有害獣のくくり罠。
【請求項２】
前記引き紐の他端に連結した握り棒を備えた請求項１に記載の有害獣のくくり罠。
【請求項３】
前記パイプに固設した足かけを備える請求項１に記載の有害獣のくくり罠。
【考案の詳細な説明】
【技術分野】
【０００１】  有害獣のくくり罠に関する。
【背景技術】
【０００２】  有害獣の被害をなくするには、予防と捕獲があるが本考案は捕獲を目的とする比較的たやすく使用できるのがくくり罠であり、その性能向上、改良を目指す。
【先行技術文献】
【特許文献】
【０００３】
【特許文献１】特開２００６−２５８３６６号公報
【考案の概要】
【考案が解決しようとする課題】
【０００４】  従来の有害獣のくくり罠に使用されているワイヤーのくくり輪はワイヤーの一端に装着されたくくり金具が前記ワイヤーの本体上を摺動して、前記くくり輪を大きくしたり小さくしたりすることができる可動式のものである。【０００５】  前記ワイヤーのくくり輪は踏板のまわりに広げて巻いて仕かけるが獣の体重により前記踏板が下方に踏み下げられると踏み板にまかれていた前記くくり輪が外れてバネの反力により前記くくり輪の中にある有害獣の手や足が引き締められ、捕縛されるがこの間のバネの作動ストロークが長すぎる欠点がある。【０００６】  有害獣のくくり罠は、ワイヤーのくくり輪を引き締める力はバネの反力を利用しているためにバネの作動ストロークが長すぎると、バネの反力は減衰し、捕縛力が弱くなってしまうから、前記バネの作動ストロークは出来るだけ短いほうが好ましい。【０００７】  くくり罠に使用するバネは一般に引きバネ、押しバネ、ねじりバネなどが用いられるが、本考案に於いては、専ら引きバネを用いている。何れのバネを使用するに於いても、前記バネの作動ストロークを短縮することはくくり罠の性能を向上させる上に於いてとても大切な条件であり、これが本考案の課題である。
【課題を解決するための手段】
【０００８】  従来のくくり罠を仕かけるにはワイヤーのくくり輪を踏み板のまわりに大きく広げて巻いたそのくくり輪でもって小さな有害獣の手や足を捕縛するのであるから、大きく広げたくくり輪を小さく引き締めるにはワイヤーの一端に装着したくくり金具は踏み板の円周にも近い長いストロークを摺動しなければならない。長いストロークを摺動したそのあとでなければ有害獣の手や足を捕縛することができないのであるからこの間に要するバネの作動ストロークは必然的に長くなってしまう。【０００９】そこで本考案は図１の如くワイヤー１の一方に所定の大きさに固着した環１１を設け、ワイヤー１の他方はパイプ２の一方から他方へ挿通する。【００１０】  前記環１１は図２の如く、従来の罠と同様に踏板８のまわりに広げて巻いて仕かけておくが、有害獣の手や足を介してその体重が踏板にかけられると踏板８が下方に踏み下げられ、踏板８の縁に巻かれていた環１１が外れ、引きバネ３の引く力によってパイプの一方から他方へ引かれ、環１１は環１１の丸ごとパイプ２の中へ一気に引きこまれ、有害獣の手や足は前記環１１とパイプ２の一方の端との間にはさまれて引き締められ捕縛される。【００１１】  本考案の環１１は所定の大きさに固着された環１１であるから、環１１を形成するワイヤーをしごいて線状に伸ばしてみると、環１１を形成するワイヤーは２つに折りたたんだ状態になり、その長さは円周の半分になる。この環１１は引きバネ３の反力で前記円周の半分の長さだけパイプの中に引き込めば、環１１の直径は一気に０になる迄引き締められる。
【考案の効果】
【００１２】  本考案のくくり罠は前記の如く、引きバネ３の作動ストロークを従来の約半分にまで大きく短縮することができる。有害獣のくくり罠はバネの反力で作動させるものであるからバネの作動ストロークが短縮されると環が有害獣の手や足を捕縛した時点に於いてもバネにはまだ強力な反力が温存されており、従来よりも強力な補縛力が維持される。一度は捕縛されていた有害獣がバネの力が弱いため逃げられていたという話はよく聞いたが、その様な失敗を少なくする事ができる。本考案の主要な部分はパイプ２の中に収められているので、引きバネ３の架装を終えたくくり罠は地中に浅く埋めると有害獣の罠の所在を悟られにくい。
【図面の簡単な説明】
【００１３】
【図１】本考案のくくり罠の前部の構造を示す斜視図
【図２】本考案のくくり罠の後部の構造を示す斜視図
【図３】本考案のくくり罠を仕掛けた状態の前部の構造を示す斜視図
【図４】本考案のくくり罠を仕掛けた状態の後部の構造を示す斜視図
【図５】図３のＡ−Ａ断面図で踏板８に巻いた環１１の状態を示す
【考案を実施するための形態】
【００１４】  本考案のくくり罠は有害獣の手や足を捕縛するワイヤー１の一方に所定の大きさに固定された環１１を設けたことを特徴とする。前記環１１はワイヤー１の一端をワイヤー本体側に折り返して踏み板８の外周よりも大きな輪を形成し、前記ワイヤー１の先端を前記ワイヤー１の本体の任意の位置にスリーブその他で固着して設ける。
【００１５】  前記ワイヤー１の他方は引きバネ３の中、パイプ２の一方から他方へ挿通する。引きバネ３の一方の連結部は前記環１１の内側に連結し、前記引きバネ３の他方側の連結部には鉤３２を設け、この鉤３２には紐４の一方を結ぶ。前記引き紐４の他方は、前記パイプ２の一方から他方へ挿通し、前記引き紐４の他端に、握り棒６につなぐ。前記パイプ２の他方の外側には足かけ５を固着する。
【００１６】  本考案のくくり罠を仕かけるには、図３の如くに所定の大きさに固定した環１１を踏み板８のまわりに広げて巻きパイプ２の一端を近接する踏板８の縁に摺動させて接触させる。
【００１７】  ここで地面に腰を下ろしパイプ２に固着した足かけ５に足をかけ引き紐４を引きバネ３の反力に抗して握り棒６に巻く。引きバネ３の反力が増し、引き紐４が握り棒６に巻きづらくなったら、握り棒６を改めて両手で握りしめ、引き紐４を介して引きバネ３の他端に設けたフック３２を一旦パイプ２の他端の外側まで引き出し少し戻しながら図４の如くにパイプ２の他端にひっかけて止める。
【００１８】  この様に仕かけられた本考案のくくり罠の踏板８に有害獣の手や足を介して体重がかけられると、踏板８が下方に踏み下げられ踏板の縁に巻かれていた前記環１１が外れ、引きバネ３の引く力によって有害獣の手足が捕縛される。
【実施例１】
【００１９】  本考案のくくり罠はくくりのワイヤーの一方に所定の大きさに固着された環を備えた罠である。この環１１は、図１の如く、ワイヤー１の一端をワイヤー１の本体側に折り返し、所定の大きさの輪を形成し、前記ワイヤー１の一端をワイヤー１の本体の任意の位置に固定して設けこれを環１１とする。この環１１は従来どおり踏板８のまわりに広げて巻いて仕かけるのであるから踏板８のまわりに広げて巻ける大きさでなくてはならないが大きすぎては扱いにくい。巻くためには踏板の外周よりも少し大きい環でなくてはならない、などの条件から、踏板８の外周よりは少し大きい外周を持つものとする。この環１１の大きさを称して所定の大きさという。【００２０】  またワイヤー１の一端をワイヤー１の本体側に折り返してワイヤー１の本体に固着する際には、前記ワイヤーの先端はバネの一方の連結部の輪の中を通して両者の連結が外れない様、しっかり連結しておく。【００２１】  前記によってワイヤー１の一方に所定の大きさの環１１を有するワイヤー１の他方は引きバネ３の中、パイプ２の一方から他方へ挿通する。引きバネ３の一方は環１１の内側に連結し、他方は引きバネ３の他方に設けた鉤３２に引き紐４の一方を連結し、引き紐４の他方はパイプ２の一方から他方へ挿通し、引き紐４の他端は図２の如く握り棒６に結ぶ。パイプ２の外側には足かけ５を固設する。【００２２】  本考案の罠を仕かけるには獣道などに踏板８を設置する位置を定め、その位置の地面を少し掘り下げ、そのくぼみに踏板８を置く。前記環１１を踏板８のまわりに広げて巻きパイプ２を踏板８側に摺動させ、パイプ２の一端を踏板８の縁を接触させる。【００２３】  ここで地面に腰を下ろし、パイプ２に固着した足かけ５に足をかけ、踏んばりながら引きバネ３の反力に抗して、握り棒６に引き紐４を巻きつける。この操作がきつくなったら、握り棒６を両手で握りしめ、ここで一気に握り棒６を強く引き、引き紐４を介して引きバネ３の他端の鉤３２をパイプ２の他端の外にまで引き出した後、少し戻しながら、パイプ２の他端にかける。【００２４】  以上の操作によって本考案のくくり罠の仕かけ作業は終了する。従来のようにワイヤー１の他端側を立木や杭などに結び、これらを相手に仕かける作業は必要なくなり、自身の手と足の力加減を自由に調節しながら仕かけられるので、仕かけの作業が容易、じん速、かつ安全である。また本考案のくくり罠は罠の作動をする主要な部分がパイプ２の中に収められているため、バネの架装を終えたくくり罠は、地中に浅く埋め有害獣にくくり罠の存在を悟られない様にすることができる。【００２５】  この様にして仕かけたくくり罠の踏板８に有害獣の手や足から体重がかけられると踏板８は下方に踏み下げられ、図３のＡ−Ａ断面図である図５に示す環１１が踏板８から外れ、引きバネ３に引かれて、環１１は丸ごとパイプ２の一方からパイプ２の中に一気に引き込まれ、環１１とパイプ２の一方の端の間にはさまれて有害獣の手や足が素早く捕縛される。【００２６】  本考案のワイヤーの環１１は、しごいて一つの線状にしてみれば理解し易いが、環１１を形成して対向する一本のワイヤーは、二つに折られた状態であり、その長さは円周の半分に短縮さ��ている。この環１１をしごく前のまるい状態から環の大きさを０にするためには、引きバネの反力で円周の半分の長さだけパイプの中に引きこめば引きバネの作動ストロークは、一挙に従来の半分に短縮されることになる。従来のくくり罠はくくり金具が踏板の円周にも近い長いストロークを摺動しなければ有害獣の手や足を捕縛することができなかったのに対し、本考案のくくり罠は、従来の約半分の引きバネ３の作動ストロークでもって、同じ目的を達することができる。【００２７】  くくり罠においては、バネの動作ストロークが長くなればなるほどにバネの反力は減衰していくのであるから、バネの作動ストロークが短くして有害獣の手や足を捕縛する事のできる効果は大きいものがある。これは本考案の大きな特徴である。
【産業上の利用可能性】
【００２８】  近年山間地では就農者の高齢化、離農、耕作放棄地の増加などにより、猪や鹿、猿などの有害獣が出没して農作物が荒らされる事象が多発している。これらの被害をなくすには、まずは手っとり早くは有害獣を捕獲しなければならない。その一つがくくり罠であるが、その性能はあまりよくないのが現実であるり、本考案は、このくくり罠の性能を向上させるためのものである。
【符号の説明】
【００２９】１    ワイヤー
２    パイプ
３    引きバネ
４    引き紐
５    足かけ
６    握り棒
７    自在接手
８    踏板
１１  ワイヤーの一方に設けた環
【図１】
0003193389.tif 000003
【図２】
0003193389.tif 000004
【図３】
0003193389.tif 000005
【図４】
0003193389.tif 000006
【図５】
0003193389.tif 000007